(57)【要約】        【課題】従来の円を描く定規は円盤等の回転体がスムーズに回転しないという根本的な問題があった。特に円盤等の回転体の大きさに比較して描く円の大きさが非常に小さい場合には全く回転しない。この問題を解決するのが課題である。この原因は、回転体の中心に回転軸が設けられておらず回転位置が固定されないため、回転させようとしても力のモーメントが働かず回転力にならないためである。また、回転させようとする力のベクトル方向と回転力のベクトル方向とが異なるためである。        【解決手段】そこで、回転体の中心に回転軸を設け独楽のような形状にした。また、回転体を保持する外枠を上から押さえることによって回転軸の先端がピンポイントで紙面を押し付け回転の中心位置を固定できるようにした。これによって力のモーメントが働き、加えた力が回転力になるようにした。        【選択図】  図１
2006187865.tif 000002
【特許請求の範囲】
【請求項１】
外枠で回転可能に保持された円盤等の回転体に、その回転体の中心からそれぞれ異なる距離に多数の小穴を設け、それらの小穴にシャープペンシル等の筆記具の芯部を差し込み、この回転体を回転させながら紙面に円を描く定規において、円盤等の回転体の中心に回転軸を設け、この定規を紙面の上に置き上から手で押さえた場合に、この回転軸の先端が紙面を押し付け回転の中心位置を固定し、この回転体を回転させようとした時に力のモーメントが働くようにしたことを特徴とする円を描く定規。
【請求項２】
周側面が円錐台の形状となるように切り抜かれた板を外枠とし、その切り抜かれた円錐台の形状の上面の直径と底面の直径との中間の直径になるように請求項１記載の円盤等の回転体の直径を定め、その外枠を請求項１記載の回転軸を設けた円盤等の回転体の上に、その切り抜かれた円錐台の形状の中心とその円盤等の回転体の中心とが一致するように置き、その外枠を上から手で押さえた場合に、この回転軸の先端が紙面を押し付け回転の中心位置を固定するようにした請求項１記載の円を描く定規。
【請求項３】
回転体を多角形または星型にして、この多角形または星型の回転体と請求項２記載の外枠との接触を点接触とした請求項１記載の円を描く定規。
【発明の詳細な説明】
【技術分野】
【０００１】
本発明は円を描くための定規に関する。
【背景技術】
【０００２】
円を描くための従来の技術にはコンパス、テンプレート、及び定規がある。コンパスは円の直径の長さにコンパスを合わせるのに手間取ったり、円を描く際に中心の位置がずれたり、紙面が浮きあがって描く線がずれたりして迅速に正確な円を描くことが難しかった。また、針を備えているため危険でもあった。テンプレートは求める円の大きさのテンプレートがなかったり、円の中心位置を合わせるのが難しかったりした。一方、円を描く定規は外枠で回転可能に保持された円盤に、その中心からそれぞれ異なる距離に多数の子穴を設け、これらの小穴にシャープペンシル等の筆記具の芯部を差し込み、円盤を回転させながら円を描くものであるが（特許文献１、特許文献２、特許文献４参照）、円盤がスムーズに回転しないという問題があった。特に、円盤の大きさに比較して非常に小さな円を描く際にはまったく回転しないのである。
【０００３】
この問題を少しでも解決するために、すでにいろいろな技術がある。たとえば、ひとつの外枠に大小二つの円盤を設けたもの（特許文献５参照）、大きな円は定規で描き、小さな円はテンプレートで描くというように定規とテンプレートとを組み合わせたもの（特許文献３、特許文献６、特許文献７参照）、ボールベアリングを設け外枠との接触抵抗を減らしたもの（特許文献３、特許文献７参照）などがある。しかし、これらの技術では円盤がスムーズに回転しないという問題を根本的に解決することはできない。
【０００４】
【特許文献１】実開平５−６０８９４号
【特許文献２】実開平６−６３３８６号
【特許文献３】特許登録第３０５４９５８号
【特許文献４】特開平７−３１４９８９号
【特許文献５】特開平１０−８９７号
【特許文献６】特開２０００−３２６６９３号
【特許文献７】特開２００１−３０６８５号
【発明の開示】
【発明が解決しようとする課題】
【０００５】
本発明は、従来の円を描く定規において、円盤がスムーズに回転しないという問題を根本的に解決しようとするのが課題である。従来の円を描く定規において、円盤がスムーズに回転しない根本的な原因は、円盤の中心に回転軸が設けられておらず、円盤を回転させる際に回転の中心位置が固定されないためである。回転の中心位置が固定されないと力のモーメントが働かず、円盤を回転させようとして加えた力は回転力にはならないのである。従来の円を描く定規のように、円盤の回転の中心位置を固定しない場合においても、円盤の大きさと描こうとする円の大きさとがほぼ等しい場合には円盤は比較的スムーズに回転する。なぜなら、円盤を回転させようとして加えた力のベクトル方向と、円盤を回転させる力のベクトル方向、すなわち、円盤の外周の接線方向とがほぼ一致するためである。しかし、円盤の大きさに比較して描こうとする円の大きさが非常に小さい場合には、円盤を回転させようとして加えた力のベクトル方向と円盤の外周の接線方向とが大きく異なるため回転力が生まれず回転しなくなるのである。つまり、円盤の大きさに比較して描こうとする円の大きさがしだいに小さくなるに従い、円盤を回転させようとして加える力のベクトル方向と回転力のベクトル方向とがしだいに離れていくのである。
【課題を解決するための手段】
【０００６】
円盤の大きさに比較して非常に小さな円を描く場合においても円盤がスムーズに回転するようにするために、円盤の中心に回転軸を設け、円を描く際に回転軸の位置が固定されるようにし、力のモーメントが働くようにした。その上で、円盤と外枠との接触抵抗をできるだけ減らすような構造にした。
【発明の効果】
【０００７】
円盤がスムーズに回転するようにしたことによって、大きな円から非常に小さな円までいろいろな半径の円を容易に、迅速に、かつ正確に描くことができるようになる。これによって、コンパスやテンプレートが不要となる。
【発明を実施するための最良の形態】
【０００８】
以下、本発明の実施の形態を実施例に基づき図１〜図４を参照して説明する。図１において、本定規は円盤１の中心からそれぞれ異なる距離に多数の小穴を設け、これらの小穴にシャープペンシル等の筆記具の芯部を差し込み、円盤１を回転させながら紙面に円を描くものである。この円盤１はその中心に回転軸２を備えており独楽と同様の形状になっている。円盤１は回転可能に外枠３及び紙押さえ４で外周部を保持されている。外枠３は周側面が円錐台の形状になるように切り抜かれており、円盤１を上からかぶせるように置かれている。したがって、本定規は、これを円を描く際に紙面の上に置き外枠３を上から手で押さえた場合に回転軸２の先端が紙面をピンポイントで押しつけ、回転の中心位置が固定される構造になっている。
【０００９】
外枠３は周側面が円錐台の形状になるように切り抜かれているため、外枠３と円盤１との接触は線接触となり、円盤１を回転する際の接触抵抗が面接触の場合より少なくなっている。
【００１０】
図２において、外枠３を上から手で押さえた場合に、回転軸２の先端が紙面をピンポイントで確実に押しつけることができるように、また、本定規が紙面から離れ過ぎて正確な円を描くことができないということがないようにａの長さを設定する必要がある。ちなみに、ａの長さは０．５mm程度が望ましい。
【００１１】
図２において、円盤１と紙押さえ４の上面との隙間をあまり大きくとると、外枠を上から手で押さえた場合に円盤１が左右にずれたり紙面に対して斜めになったりするため中心位置を固定しにくくなるだけでなく、円盤１と紙面との間の距離が大きくなって正確な円を描くことが難しくなる。よって、この隙間は０．１ｍｍ〜０．５ｍｍ程度にすることが望ましい。
【００１２】
図３に示すように、回転体５を多角形にすることにより、外枠３と回転体５との接触を点接触にすることができるため、回転する際の接触抵抗が線接触に比較して小さくなりスムーズに回転するようになる。また、図４に示すように、強度的には弱くなるが回転体６を星型にすることにより外枠３と回転体６との接触を点接触にすることもできる。
【００１３】
本定規の材料は描く円の中心位置を決めやすくするため、あるいは円が正確に描けたか否かを確認しやすくするために透明なプラスチック等が良い。
【図面の簡単な説明】
【００１４】
【図１】本発明の実施例を示す平面図及びＡ―Ａ断面図
【図２】図１のＡ―Ａ断面図の部分拡大図
【図３】他の実施例の平面図
【図４】他の実施例の平面図
【符号の説明】
【００１５】
１  円盤
２  円盤１の中心に設けた回転軸
３  外枠
４  紙押さえ
５  多角形の回転体
６  星型の回転体
ａ  回転軸２における紙押さえ４の底面位置から飛び出ている長さ
【図１】
2006187865.tif 000003
【図２】
2006187865.tif 000004
【図３】
2006187865.tif 000005
【図４】
2006187865.tif 000006